(57)【要約】【課題】換気扇装置側の受信手段の配置に左右されることなく、加熱調理器の加熱動作に連動して換気扇装置を動作させることができる加熱調理システムを提供する。【解決手段】左加熱部４ａ、右加熱部４ｂ、中央加熱部４ｃの各火力を設定する操作部５、操作部５により設定された火力に応じて駆動信号を生成する制御部、及び駆動信号を無線通信にて送信する第１の無線アダプタ１０を有する加熱調理器１００と、第１の無線アダプタ１０からの駆動信号を無線通信にて転送するコントローラー３００と、コントローラー３００からの駆動信号を受信する第２の無線アダプタ２２、及び第２の無線アダプタ２２からの駆動信号に基づいてモーター２４の駆動を制御する換気扇制御手段を有する換気扇装置２００とを備えている。【選択図】図１
2014228217.tif 000002
【特許請求の範囲】
【請求項１】
被加熱物を加熱する加熱手段、該加熱手段の火力を設定する火力設定手段、該火力設定手段により設定された火力に応じて駆動信号を生成する制御手段、及び該制御手段により生成された駆動信号を無線通信にて送信する第１の送受信手段を有する加熱調理器と、
前記第１の送受信手段からの駆動信号を無線通信にて転送するコントローラーと、
前記コントローラーからの駆動信号を受信する第２の送受信手段、及び該第２の送受信手段からの駆動信号に基づいて換気扇の駆動を制御する換気扇制御手段を有する換気扇装置と
を備えたことを特徴とする加熱調理システム。
【請求項２】
被加熱物を加熱する加熱手段、該加熱手段の火力を設定する火力設定手段、赤外線を発光する発光手段、第１の送受信手段、及び前記火力設定手段により設定された火力に応じて駆動信号を生成し、かつ該駆動信号を前記発光手段に出力して赤外線を発光させ、運転信号を前記第１の送受信手段に出力して無線通信にて送信させる制御手段を有する加熱調理器と、
前記発光手段からの赤外線を受光する受光手段、第２の送受信手段、及び前記受光手段に赤外線が受光されたときに、当該赤外線に基づいて換気扇の駆動を制御し、前記赤外線の受光を知らせる検知信号を前記第２の送受信手段に出力して無線通信にて送信させる換気扇制御手段を有する換気扇装置と、
前記運転信号が受信されたときに時間のカウントを開始し、カウント時間が設定時間を経過しても前記検知信号が受信されなかったときには、赤外線の受光エラーとして、前記制御手段に前記駆動信号を送信させる指示信号を無線通信にて前記第１の送受信手段に送信するコントローラーとを備え、
前記制御手段は、前記第１の送受信手段を介して前記指示信号が入力されたときには、前記駆動信号を前記第１の送受信手段に出力して無線通信にて送信させ、
前記コントローラーは、前記第１の送受信手段からの前記駆動信号を無線通信にて転送し、
前記第２の送受信手段は、前記コントローラーから転送された駆動信号を受信し、
前記換気扇制御手段は、前記第２の送受信手段により受信された駆動信号に基づいて換気扇の駆動を制御することを特徴とする加熱調理システム。
【請求項３】
前記第１の送受信手段と前記コントローラーとの間の無線通信、及び前記コントローラーと前記第２の送受信手段との間の無線通信を無線ＬＡＮにて行うことを特徴とする請求項１又は２記載の加熱調理システム。
【請求項４】
前記第１の送受信手段と前記コントローラーとの間の無線通信、及び前記コントローラーと前記第２の送受信手段との間の無線通信を特定小電力にて行うことを特徴とする請求項１又は２記載の加熱調理システム。
【発明の詳細な説明】
【技術分野】
【０００１】
本発明は、加熱調理器の加熱動作に連動して換気扇装置の換気扇を駆動させる加熱調理システムに関するものである。
【背景技術】
【０００２】
従来の加熱調理システムとして、加熱調理器の天板の下に配置され、設定火力に応じて生成された駆動信号で赤外線を発光し天板を通して上方に照射する送信手段と、加熱調理器の上方に配置された換気扇装置に設けられ、送信手段からの赤外線を受光する受信手段とを備え、受信手段により受光された赤外線に基づいて換気扇装置の換気扇を駆動するものがある（例えば、特許文献１参照）。
【先行技術文献】
【特許文献】
【０００３】
【特許文献１】特開２００３−８３５５０号公報（要約）
【発明の概要】
【発明が解決しようとする課題】
【０００４】
従来の加熱調理システムでは、設定火力に応じて生成された駆動信号の伝送媒体として、赤外線を用いているため、照射角が狭く、換気扇装置の受信手段の配置によっては赤外線を受信できず、加熱調理器の加熱動作に連動して換気扇装置が動作しないということがあった。
【０００５】
本発明は、前述のような課題を解決するためになされたもので、換気扇装置側の受信手段の配置に左右されることなく、加熱調理器の加熱動作に連動して換気扇装置を動作させることができる加熱調理システムを提供することを目的とする。
【課題を解決するための手段】
【０００６】
本発明に係る加熱調理システムは、被加熱物を加熱する加熱手段、加熱手段の火力を設定する火力設定手段、火力設定手段により設定された火力に応じて駆動信号を生成する制御手段、及び制御手段により生成された駆動信号を無線通信にて送信する第１の送受信手段を有する加熱調理器と、第１の送受信手段からの駆動信号を無線通信にて転送するコントローラーと、コントローラーからの駆動信号を受信する第２の送受信手段、及び第２の送受信手段からの駆動信号に基づいて換気扇の駆動を制御する換気扇制御手段を有する換気扇装置とを備えたものである。
【発明の効果】
【０００７】
本発明によれば、設定火力に応じた駆動信号で換気扇装置の換気扇を駆動させる際、第１の送受信手段とコントローラーとの間、及びコントローラーと第２の送受信手段との間を無線通信にて駆動信号を送信させるようにしている。この無線通信により、換気扇装置側の受信手段の配置に左右されることなく、加熱調理器の加熱動作に連動して換気扇装置の換気扇を駆動させることができる。
【図面の簡単な説明】
【０００８】
【図１】実施の形態１に係る加熱調理システムの外観を示す斜視図。
【図２】図１の加熱調理器の天板を取り外して示す斜視図。
【図３】実施の形態１の加熱調理システムの動作を示す通信シーケンス図。
【図４】実施の形態２に係る加熱調理システムの外観を示す斜視図。
【図５】図４の加熱調理器の天板を取り外して示す斜視図。
【図６】実施の形態２の加熱調理システムの動作を示す通信シーケンス図。
【発明を実施するための形態】
【０００９】
実施の形態１．
図１は実施の形態１に係る加熱調理システムの外観を示す斜視図、図２は図１の加熱調理器の天板を取り外して示す斜視図である。
実施の形態１に係る加熱調理システムは、図１に示すように、システムキッチンに組み込まれた加熱調理器１００と、加熱調理器１００の上方に配置され、キッチンの壁に設置された換気扇装置２００と、キッチンの壁に設置されたコントローラー３００とで構成されている。なお、コントローラー３００の設置をキッチンの壁としているが、コントローラー３００の設置場所は限定されるものではない。
【００１０】
加熱調理器１００は、図２に示すように、本体ケース１の上部に設けられ、鍋の載置位置を示す左加熱部４ａ、右加熱部４ｂ及び中央加熱部４ｃが表示された天板２と、本体ケース１内に、左加熱部４ａ、右加熱部４ｂ及び中央加熱部４ｃにそれぞれ対向して配置された加熱コイル１１ａ、１１ｂ、１１ｃと、本体ケース１内に収納され、本体ケース１の前面にグリル扉８を有するグリル調理器とを備えている。なお、本実施の形態の加熱調理器１００には、３つの加熱コイル１１ａ、１１ｂ、１１ｃが設けられているが、これは一例であって、加熱コイル１１ａ、１１ｂ、１１ｃの個数は限定されるものではない。また、中央加熱部４ｃに対向配置された加熱コイル１１ｃに代えて、ラジエントヒーターでもよい。
【００１１】
天板２は、耐熱強化ガラスより形成され、外周部に額縁状のフレーム３が装着された状態で本体ケース１の上部に取り付けられている。天板２の手前側のフレーム３には、火力設定手段を有する操作部５が設けられ、天板２の後部のフレーム３には、吸気口１２を覆う吸気口カバー６及び排気口１３を覆う排気口カバー７が取り外し自在に設けられている。
【００１２】
操作部５は、各加熱コイル１１ａ、１１ｂ、１１ｃの火力を設定するキースイッチ、グリル調理器の加熱動作を指示するキースイッチ等を備えている。操作部５の下には、操作部５の回路基板１４が配置されている。また、回路基板１４の一方には、例えばマイコンで構成された制御部９が実装されている。この制御部９は、操作部５のキースイッチの操作に基づく信号を加熱コイル１１ａ、１１ｂ、１１ｃの各回路基板、グリル調理器の回路基板に出力する。
【００１３】
本体ケース１のグリル扉８に隣接する前面には、加熱調理器１００の電源スイッチ５ａが設けられている。本体ケース１内の前部には、第１の送受信手段である第１の無線アダプタ１０が設置されている。この第１の無線アダプタ１０は、通信線（図示せず）を介して制御部９と接続されている。
【００１４】
制御部９は、操作部５により火力が設定されると、設定された火力に応じて駆動信号を生成し、その駆動信号を第１の無線アダプタ１０に出力する。また、制御部９は、加熱調理器１００における加熱動作が終了したときには、停止信号を第１の無線アダプタ１０に出力する。この第１の無線アダプタ１０は、制御部９からの駆動信号が入力されたときには、その駆動信号を無線通信にてコントローラー３００へ送信し、停止信号が入力されたときには、その停止信号を無線通信にてコントローラー３００へ送信する。
【００１５】
換気扇装置２００は、天板２と対向する下部に開口を有する箱形状のフード２０と、フード２０の前面に設けられた操作部２１と、フード２０の前面の内側に設置された第２の無線アダプタ２２（第２の送受信手段）と、フード２０の内部に設置されたモーター２４及びモーター２４に連結された例えばシロッコファンと、フード２０のシロッコファンの手前に設けられた取り外し自在の換気フィルタ２３と、換気扇制御部（図示せず）とを備えている。
【００１６】
操作部２１には、シロッコファンの回転による風量の「強・中・弱」を選択するためのスイッチ、電源を「入り・切り」するためのスイッチが設けられている。第２の無線アダプタ２２は、前述の換気扇制御部と通信線を介して接続されている。この第２の無線アダプタ２２は、駆動信号がコントローラー３００を介して受信されたときには、その駆動信号を換気扇制御部に出力し、停止信号がコントローラー３００を介して受信されたときには、その停止信号を換気扇制御部に出力する。
【００１７】
換気扇制御部は、駆動信号が入力されたときには、その駆動信号に基づいてモーター２４の駆動を制御する。このモーター２４の制御は、設定された火力に応じて生成された駆動信号（設定火力）によって異なる。例えば、火力が２．５ｋＷ以上のときには、風量が「強」となるようにモーター２４の駆動を制御し、火力が７５０Ｗ以上２．５ｋＷ未満のときには、風量が「中」となるようにモーター２４の駆動を制御し、火力が７５０Ｗ未満のときには、風量が「弱」となるようにモーター２４の駆動を制御する。
【００１８】
コントローラー３００は、第１の無線アダプタ１０からの駆動信号が受信されたときには、その駆動信号を無線通信にて第２の無線アダプタ２２に転送し、第１の無線アダプタ１０からの停止信号が受信されたときには、その停止信号を無線通信にて第２の無線アダプタ２２に転送する。第１の無線アダプタ１０とコントローラー３００との間の無線通信、コントローラー３００と第２の無線アダプタ２２との間の無線通信は、無線ＬＡＮあるいは特定小電力にて行われている。このコントローラー３００は、例えば、制御対象の家電機器の使用電力量を監視しており、設定された電力量を超えそうな場合には、家電機器のスイッチを自動で切ったり、室温にあわせてエアコンを制御したり、部屋の明るさに応じて照明器具を制御する機能を備えている。
前述の無線ＬＡＮとは、無線通信によりデータの送受信を行うローカルエリアネットワークのことで、ワイヤレスＬＡＮとも呼ばれる。また、特定小電力とは、無線通信する際の空中線電力が１Ｗ以下（元は１０ｍＷ以下であったが法改正された。）の電力のことで、この電力を使い電波法による無線局の免許を必要とせずに利用できるのが特定小電力無線である。
【００１９】
前記のように構成された加熱調理システムの動作について、図１及び図３を参照しながら説明する。
図３は実施の形態１の加熱調理システムの動作を示す通信シーケンス図である。
【００２０】
電源スイッチ５ａのオンにより、加熱調理器１００に電源が入ると、制御部９は、操作部５によって設定される火力が入力されるまで待機する。制御部９は、例えば左加熱部４ａの火力が設定されたときには、その設定された火力に応じて駆動信号を生成し、その駆動信号を第１の無線アダプタ１０に出力する。
【００２１】
第１の無線アダプタ１０は、駆動信号が入力されると、その駆動信号を無線通信にてコントローラー３００に送信する。コントローラー３００は、第１の無線アダプタ１０からの駆動信号が受信されたときには、その駆動信号を無線通信にて第２の無線アダプタ２２に転送する。
【００２２】
第２の無線アダプタ２２は、コントローラー３００からの駆動信号が受信されると、その駆動信号を換気扇制御部に出力する。換気扇制御部は、駆動信号が入力されたときに、モーター２４を駆動してシロッコファンを回転させ、駆動信号（設定火力）に応じた風量となるようにモーター２４の駆動を制御する。
【００２３】
一方、制御部９は、左加熱部４ａにおける加熱動作が終了したかどうかを判定しており、その加熱動作の終了を検知したときには、停止信号を第１の無線アダプタ１０に出力する。第１の無線アダプタ１０は、停止信号が入力されたときには、その停止信号を無線通信にてコントローラー３００に送信する。コントローラー３００は、第１の無線アダプタ１０からの停止信号が受信されたときには、その停止信号を無線通信にて第２の無線アダプタ２２に転送する。
【００２４】
第２の無線アダプタ２２は、コントローラー３００からの停止信号が受信されたときには、その停止信号を換気扇制御部に出力する。換気扇制御部は、停止信号が入力されると、モーター２４の駆動を停止して、左加熱部４ａにおける加熱動作時の換気を終了する。なお、停止信号が入力されてから一定時間経過後にモーター２４の駆動を停止するようにしてもよい。
【００２５】
以上のように実施の形態１によれば、設定火力に応じた駆動信号で換気扇装置２００のモーター２４を駆動させる際、第１の無線アダプタ１０とコントローラー３００との間、及びコントローラー３００と第２の無線アダプタ２２との間を無線通信にて駆動信号を送信させるようにしている。この無線通信により、換気扇装置２００側の受信手段の配置に左右されることなく、加熱調理器１００の加熱動作に連動して換気扇装置２００のモーター２４を駆動させることができる。
【００２６】
実施の形態２．
図４は実施の形態２に係る加熱調理システムの外観を示す斜視図、図５は図４の加熱調理器の天板を取り外して示す斜視図である。なお、図１及び図２で説明した実施の形態１と同様の部分には同じ符号を付し、実施の形態１と異なる部分だけを説明する。
【００２７】
実施の形態２においては、加熱調理器１００の本体ケース１内の前部に設けられた仕切板１５の両端に、赤外線を照射するＬＥＤ１６ａ、１６ｂ（発光手段）が取り付けられている。ＬＥＤ１６ａ、１６ｂは、天板２の手前側の角部と対向するように配置され、かつ、後述する赤外線受光部２５に赤外線が向くように傾けられている。換気扇装置２００のフード２０の前部下面に、前述の赤外線受光部２５が取り付けられている。赤外線受光部２５は、通信線を介して換気扇制御部と接続されている。
【００２８】
加熱調理器１００の制御部９は、操作部５によって設定された火力に応じて駆動信号を生成した際、その駆動信号をＬＥＤ１６ａ、１６ｂのみに出力して、駆動信号に応じた赤外線を照射させる。次いで、制御部９は、換気扇装置２００の運転を知らせる運転信号を第１の無線アダプタ１０に出力して、第１の無線アダプタ１０から運転信号を無線通信にてコントローラー３００に送信させる。
【００２９】
赤外線受光部２５は、ＬＥＤ１６ａ、１６ｂからの赤外線が受光されると、受光された赤外線に基づいて駆動信号に変換し、その駆動信号を換気扇制御部に出力する。換気扇制御部は、入力された駆動信号に基づいてモーター２４の駆動を制御すると共に、赤外線の受光を知らせる検知信号を無線通信にてコントローラー３００に送信する。
【００３０】
コントローラー３００は、運転信号が受信されたときに時間のカウントを開始し、カウント時間ｔ２が設定時間ｔ１を経過する前に検知信号が受信されたときには、その検知信号を第１の無線アダプタ１０を介して制御部９に送信する。また、コントローラー３００は、カウント時間ｔ２が設定時間ｔ１を経過しても検知信号が受信されなかったときには、赤外線の受光エラーとして、制御部９に前述の駆動信号を第１の無線アダプタ１０から再送信させる再送指示信号を無線通信にて送信する。第１の無線アダプタ１０とコントローラー３００との間の無線通信、コントローラー３００と第２の無線アダプタ２２との間の無線通信は、前述したように、無線ＬＡＮあるいは特定小電力にて行われる。
【００３１】
前記のように構成された加熱調理システムの動作について、図４及び図６を参照しながら説明する。
図６は実施の形態２の加熱調理システムの動作を示す通信シーケンス図である。
【００３２】
電源スイッチ５ａのオンにより、加熱調理器１００に電源が入ると、制御部９は、操作部５によって設定される火力が入力されるまで待機する。制御部９は、例えば左加熱部４ａ及び右加熱部４ｂの各火力が設定されたときには、その設定された火力に応じて駆動信号を生成し、その駆動信号をＬＥＤ１６ａ、１６ｂのみに出力して、駆動信号に応じた赤外線を照射させる。この時、ＬＥＤ１６ａ、１６ｂからの赤外線は、天板２を透過して上方へ照射される。
【００３３】
一方、赤外線受光部２５は、ＬＥＤ１６ａ、１６ｂからの赤外線が受光されたときに、その赤外線に基づいて駆動信号に変換し、その駆動信号を換気扇制御部に出力する。換気扇制御部は、駆動信号が入力されたときに、モーター２４を駆動してシロッコファンを回転させ、駆動信号（設定火力）に応じた風量となるようにモーター２４の駆動を制御する。次いで、換気扇制御部は、赤外線の受光を知らせる検知信号を無線通信にてコントローラー３００に送信する。
【００３４】
コントローラー３００は、運転信号が受信されたときに時間のカウントを開始し、カウント時間ｔ２が設定時間ｔ１を経過する前に検知信号が受信されたときには、その検知信号を無線通信にて第１の無線アダプタ１０に送信し、第１の無線アダプタ１０から検知信号を制御部９に入力させる。制御部９は、検知信号が入力されたときには、赤外線が受光されたと判定して、左加熱部４ａ及び右加熱部４ｂにおける加熱動作が終了したかどうかの判定に入る。
【００３５】
また、コントローラー３００は、カウント時間ｔ２が設定時間ｔ１を経過しても検知信号が受信されなかったときには、制御部９に駆動信号を再送信させる再送指示信号を無線通信にて第１の無線アダプタ１０に送信し、第１の無線アダプタ１０から再送指示信号を制御部９に入力させる。制御部９は、再送指示信号が入力されたときには、赤外線の受光エラーと判定して、設定火力に応じて生成した駆動信号を第１の無線アダプタ１０に出力する。これ以降の動作については、実施の形態１と同様であるため、動作の説明を省略する。また、制御部９は、左加熱部４ａ及び右加熱部４ｂにおける加熱動作の終了を検知したときには、停止信号を第１の無線アダプタ１０に出力する。これ以降の動作についても、実施の形態１と同様であるため、動作の説明を省略する。
【００３６】
以上のように実施の形態２によれば、ＬＥＤ１６ａ、１６ｂから照射された赤外線が赤外線受光部２５に受光されなかった場合、設定火力に応じた駆動信号を第１の無線アダプタ１０、コントローラー３００及び第２の無線アダプタ２２を経由して、換気扇制御部に入力されるようにしている。これにより、換気扇装置２００側の赤外線受光部２５の配置に左右されることなく、加熱調理器１００の加熱動作に連動して換気扇装置２００のモーター２４を駆動させることができる。
【００３７】
なお、実施の形態１、２では、第１の無線アダプタ１０を本体ケース１内に設置したが、第１の無線アダプタ１０をコントローラー３００と同様に壁に設置してもよい。また、第２の無線アダプタ２２をフード２０の内側に設置したが、第２の無線アダプタ２２をフード２０の表面に設置してもよい。
【符号の説明】
【００３８】
１  本体ケース、２  天板、３  フレーム、４ａ  左加熱部、４ｂ  右加熱部、４ｃ  中央加熱部、５  操作部、５ａ  電源スイッチ、６  吸気口カバー、７  排気口カバー、８  グリル扉、９  制御部、１０  第１の無線アダプタ、１１ａ、１１ｂ、１１ｃ  加熱コイル、１２  吸気口、１３  排気口、１４  回路基板、１５  仕切板、１６ａ、１６ｂ  ＬＥＤ、２０  フード、２１  操作部、２２  第２の無線アダプタ、２３  換気フィルタ、２４  モーター、２５  赤外線受光部、１００  加熱調理器、２００  換気扇装置、３００  コントローラー。
【図１】
2014228217.tif 000003
【図２】
2014228217.tif 000004
【図３】
2014228217.tif 000005
【図４】
2014228217.tif 000006
【図５】
2014228217.tif 000007
【図６】
2014228217.tif 000008